【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
バルブなどの圧力機器よりなるワークにサーチガスを供給して漏れの有無を検出する耐圧検査方法であって、前記ワークの構成部品の一部を組み立てた状態とし、その直後に前記ワークの検査対象部位を検査空間の容積を減じた状態で覆い、前記ワーク内にサーチガスを封入して前記検査空間におけるサーチガスの漏れの有無を検出する耐圧予備検査をおこなうことにより、前記ワークの欠陥や加工不良を早期に検出するようにしたことを特徴とするバルブなどの圧力機器の耐圧検査方法。
【請求項２】
前記ワークは、鋳物部品を用いて構成される請求項１に記載のバルブなどの圧力機器の耐圧検査方法。
【請求項３】
前記ワークの検査対象部位には、Ｏリングによるシール部位が含まれている請求項１又は２に記載のバルブなどの圧力機器の耐圧検査方法。
【請求項４】
前記ワークの検査対象部位には、バルブのステム軸シール部位が含まれている請求項１又は２に記載のバルブなどの圧力機器の耐圧検査方法。
【請求項５】
前記ワークの耐圧予備検査の後に、このワークに圧力が加わる全ての構成部品を組み込むと共にワーク全体を覆う大検査空間を設け、前記ワーク内にサーチガスを封入して前記大検査空間におけるサーチガスの漏れの有無を検出する耐圧本検査をおこなうようにした請求項１乃至４の何れか１項に記載のバルブなどの圧力機器の耐圧検査方法。
【手続補正２】
【補正対象書類名】明細書
【補正対象項目名】発明の名称
【補正方法】変更
【補正の内容】
【発明の名称】バルブなどの圧力機器の耐圧検査方法
【手続補正３】
【補正対象書類名】明細書
【補正対象項目名】０００１
【補正方法】変更
【補正の内容】
【０００１】
本発明は、例えば、バルブなどの内部から圧力が加わる圧力機器の耐圧検査方法に関する。
【手続補正４】
【補正対象書類名】明細書
【補正対象項目名】００１１
【補正方法】変更
【補正の内容】
【００１１】
本発明は、従来の課題を解決するために開発したものであり、その目的とするところは、バルブなどの圧力機器の組立て途中に耐圧検査でき、検査用ガスを迅速に排気することにより短時間で耐圧検査を実施できる圧力機器の耐圧検査方法を提供することにある。
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】変更
【補正の内容】
【００２４】
本発明によると、ワークの構成部品の組立て途中で耐圧検査によりワークの欠陥や加工不良を早期に検出するようにしているので、不合格になったときに分解が容易になり、短時間で分解・組立を実施して不具合箇所を補修や交換できる。耐圧予備検査として、検査空間の容積を減じた状態でワーク内にサーチガスを封入してこのサーチガスの漏れの有無を検出しているため、ワークの完成品に比して、サーチガスの充填容積が少ない。このように、サーチガスの拡散範囲を必要最小限に抑えることで、検査後の残留ガスを迅速に排出し、耐圧検査を連続して短時間で実施可能となる。組立て途中のワーク内にサーチガスを充填できるため、このワークに手を加えることなく耐圧検査を実施できる。
【手続補正１３】
【補正対象書類名】明細書
【補正対象項目名】００２５
【補正方法】変更
【補正の内容】
【００２５】
さらに、鋳造時における中子ずれなどの不良を早期に発見でき、耐圧検査後には、直ちに検査完了部位の塗装をおこなうことも可能になる。
【手続補正１４】
【補正対象書類名】明細書
【補正対象項目名】００２６
【補正方法】変更
【補正の内容】
【００２６】
Ｏリングの移動による弾性変形を抑えた状態で耐圧検査することにより、加工不良や成形不良を原因とする軸漏れ等の部分的な漏れの有無を確認可能となる。
【手続補正１５】
【補正対象書類名】明細書
【補正対象項目名】００２７
【補正方法】変更
【補正の内容】
【００２７】
本発明によると、ステムの回転位置に関わることなく、ステムを挿入した状態で直ちにバルブのステム軸シール部位の耐圧検査をおこなうことができる。
【手続補正１６】
【補正対象書類名】明細書
【補正対象項目名】００２８
【補正方法】変更
【補正の内容】
【００２８】
しかも、加工不良や成形不良を原因とした部分的な検査である耐圧予備検査の後に、各シール部分からの漏れを確認するための全体的な検査である耐圧本検査をおこなうことができ、漏れ等の不具合位置の特定が容易となる。しかも、これら部分的な検査と全体的な検査とを、最小限のサーチガスにより同じ検査スペースで迅速に実施できる。
【手続補正１７】
【補正対象書類名】明細書
【補正対象項目名】００２９
【補正方法】変更
【補正の内容】
【００２９】
その他、開放部を介して検査スペースにワークを脱着しながら連続した耐圧検査の実施が可能になる。検査スペース内に設けたガスセンサを、ワークの検査対象部位から退避させた状態で、検査スペースの残留ガスを排出することにより、検査後のワークの検査対象部位近傍へのサーチガスの残留を防ぎつつ、この残留ガスを検査スペース内から迅速に排出して、次のワークを速く迅速に検査可能となる。
【手続補正１８】
【補正対象書類名】明細書
【補正対象項目名】００３０
【補正方法】変更
【補正の内容】
【００３０】
さらに、半開放チャンバを移動してワークに被せることで、このワークの検査対象部位を包囲する検査空間を設け、耐圧検査時にはこの小さい容積の検査空間内でワークの検査対象部位からのガスの漏れを正確に検知できる。検査後には、チャンバを移動することでワーク周囲に滞留したガスを容易にかつ迅速に排出可能となる。
【手続補正１９】
【補正対象書類名】明細書
【補正対象項目名】００３１
【補正方法】変更
【補正の内容】
【００３１】
検査後におけるワークのアンクランプにより放出されたガスを排気ファンを介して外部に排気し、次のワークを速く正確に耐圧検査できる。
【手続補正２０】
【補正対象書類名】明細書
【補正対象項目名】００３２
【補正方法】変更
【補正の内容】
【００３２】
水素ガスが拡散性を有する気体であることにより、この水素ガスがワーク内から漏れ出すときには、ガスセンサにより確実に検出して高精度に耐圧検査を実施できる。これにより、低濃度のガスであっても高感度に検出可能となる。
【手続補正２１】
【補正対象書類名】明細書
【補正対象項目名】００３３
【補正方法】変更
【補正の内容】
【００３３】
パージ流路を介してワーク内に封入したサーチガスを迅速に排出でき、検査直後にワークを次の検査用ワークに取り替えて時間を短縮しつつ耐追検査可能となる。
【手続補正２２】
【補正対象書類名】明細書
【補正対象項目名】００３４
【補正方法】変更
【補正の内容】
【００３４】
チャンバの進退方向と、クランプ治具との進退方向とを同一方向とすることで、装置全体のコンパクト化を図ることができる。
【手続補正２３】
【補正対象書類名】明細書
【補正対象項目名】００３５
【補正方法】変更
【補正の内容】
【００３５】
耐圧検査装置における被検査物をバルブなどの圧力機器類とすることで、バルブを構成する鋳物部品などの部品からの漏れや各シール部位からの漏れの有無と共に、加工不良や成形不良を原因とした軸漏れの有無を正確に確認し、耐圧性に優れた高精度なバルブなどの圧力機器を提供できる。